(57)【要約】【課題】  金属サイディングの実接合面における前面側からの風圧雨などによる浸入水をより効果的に防止することができる新しい金属サイディングを提供する。【解決手段】  断熱材１が貼着された金属表面材２を表層として、対向する側端面の各々に雄実３または雌実４を形成し一対の雄実３と雌実４を設けるようにしてパネル状に形成されており、雄実３はその前面側根元近傍に凹部３１を設けてこの凹部３１にパッキン材５を配設した突起部からなり、雌実４は雌実前側凸部４１と雌実後側凸部４２とを離間させて形成した凹溝部からなる金属サイディングであって、金属サイディング同士でそれぞれの雄実３と雌実４とを嵌合させて実接合させる際に、一方の金属サイディングの凹部３１に配設されたパッキン材５と他方の金属サイディングの雌実前側凸部４１の後側角部４１１とが当接するように実接合させることで、実接合面における前面側からの浸入水を防止する。【選択図】図１
2006207137.tif 000002
【特許請求の範囲】
【請求項１】
断熱材が貼着された金属表面材を表層として、対向する側端面の各々に雄実または雌実を形成し一対の雄実と雌実を設けるようにしてパネル状に形成されており、雄実はその前面側根元近傍に凹部を設けてこの凹部にパッキン材を配設した突起部からなり、雌実は雌実前側凸部と雌実後側凸部とを離間させて形成した凹溝部からなる金属サイディングであって、金属サイディング同士でそれぞれの雄実と雌実とを嵌合させて実接合させる際に、一方の金属サイディングの凹部に配設されたパッキン材と他方の金属サイディングの雌実前側凸部の後側角部とが当接するように実接合させることで、実接合面における前面側からの浸入水を防止するようにしていることを特徴とする金属サイディング。
【請求項２】
少なくとも一方の側端面における前面側角部を側方に突出させ、金属サイディング同士の実接合時には、他方の側端面に相対する一方の前面側角部を当接させるようにしたことを特徴とする請求項１に記載の金属サイディング。
【請求項３】
雄実の頂部と雌実の底部との間に空隙を設けたことを特徴とする請求項１または２に記載の金属サイディング。
【発明の詳細な説明】
【技術分野】
【０００１】
本願発明は、建物の外壁材などに用いられる金属サイディングに関するものである。
【背景技術】
【０００２】
従来より、金属サイディングとして図４に示されるものが知られている（例えば、特許文献１参照）。この図によれば、金属材を表面材８とし、この表面材８に合成樹脂材９を貼着させてパネル状に形成し、雄実３と雌実４とをそれぞれを対向する端部に形成している。また、少なくとも一方の端部における表面角部１０を側方に突出させることで、この表面角部１０と対向する表面角部１０との突き合わせが、実接合された状態において確実になされる。さらに、雄実３とこの金属サイディングの表面との間に空隙７が形成され、毛細管現象により浸入した水をこの空隙で捉えそれ以上の水の浸入を防止している。
【０００３】
また、図５に示すように、一方のサイディングボード１１の接合側端部に雄実３を突設するとともに他方のサイディングボード１１の接合側端部に上記雄実３に対応する形状の雌実４を凹設して、上記雄実３と雌実４とを嵌合させてなるサイディングボード１１接合構造も提案されている（例えば、特許文献２参照）。このサイディング１１接合構造によれば、上記雄実３と雌実４の形状をその前後立上がり面が実中央部に向かって傾斜したテーパ状に形成するとともに、雄実３および雌実４の後側立上がり面のボード平行面に対する傾斜角度を同上前側立上がり面のボード平行面に対する傾斜角度よりも小さくし、上記雄実３の頂部と雌実４の底部との間に空隙７を設けている。そして、雄実３と雌実４との当接面間の僅かな隙間から毛細管現象により浸入してくる水をこの空隙７で捉えることでそれ以上の水の浸入を防止している。
【０００４】
以上のように金属サイディングは、いずれも金属サイディング同士の実接合時に形成された空隙７によって水をくい止めることができるようになっているため、このような金属サイディングが施工されている外壁下地側にも水が浸入しにくくなり、建物に対する悪影響を少なくすることができる。しかしながら、上記の金属サイディングは浸入水の防止に優れた効果を有するものであるが、その防水性能をより向上させることが望まれてもいる。
【特許文献１】特開平１０−２１２８１４号公報
【特許文献２】特開平９−２５６５９７号公報
【発明の開示】
【発明が解決しようとする課題】
【０００５】
そこで、本願発明は、以上の通りの背景から、金属サイディングの実接合面における前面側からの風圧雨などによる浸入水をより効果的に防止することができる新しい金属サイディングを提供することを課題としている。
【課題を解決するための手段】
【０００６】
本願発明の金属サイディングは、前記の課題を解決するものとして、第１には、断熱材が貼着された金属表面材を表層として、対向する側端面の各々に雄実または雌実を形成し一対の雄実と雌実を設けるようにしてパネル状に形成されており、雄実はその前面側根元近傍に凹部を設けてこの凹部にパッキン材を配設した突起部からなり、雌実は雌実前側凸部と雌実後側凸部とを離間させて形成した凹溝部からなる金属サイディングであって、金属サイディング同士でそれぞれの雄実と雌実とを嵌合させて実接合させる際に、一方の金属サイディングの凹部に配設されたパッキン材と他方の金属サイディングの雌実前側凸部の後側角部とが当接するように実接合させることで、実接合面における前面側からの浸入水を防止するようにしていることを特徴とする。
【０００７】
本願発明は、第２には、上記の金属サイディングにおいて、少なくとも一方の側端面における前面側角部を側方に突出させ、金属サイディング同士の実接合時には、他方の側端面に相対する一方の前面側角部を当接させるようにしたことを特徴とし、第３には、雄実の頂部と雌実の底部との間に空隙を設けたことを特徴とする。
【発明の効果】
【０００８】
第１の発明の金属サイディングは、一方の金属サイディングの凹部に配設されたパッキン材と他方の金属サイディングの雌実前側凸部の後側角部とが当接するように実接合させることにより、金属サイディング同士の実接合が確実なものになり、実接合面における前面側からの風圧雨などによる浸入水が雄実の内部にまで廻り込むのをより効果的に防止することができる。したがって、この金属サイディングが施工されている外壁下地側にも水が浸入しにくくなり、建物に対する悪影響を少なくすることができる。
【０００９】
第２の発明の金属サイディングは、少なくとも一方の側端面における前面側角部を側方に突出させ、金属サイディング同士の実接合時には、他方の側端面に相対する一方の前面側角部を当接させるようにしたことにより、前面側角部を突き合わせた当接部が実接合された状態において確実に当接されるため、隙間または浮き上がりなどができにくくなり、外観よく施工することができる。
【００１０】
また、第３の発明の金属サイディングは、雄実の頂部と雌実の底部との間に空隙を設けたことにより、この空隙が毛細管現象により浸入した水を捉える（毛細管現象を遮断する）トラップのような役割を果たすことになるため、この金属サイディングが施工されている外壁下地側にもさらに水が浸入しにくくなり、建物に対する悪影響をより少なくすることができる。
【発明を実施するための最良の形態】
【００１１】
本願発明は前記のとおりの特徴をもつものであるが、以下に、発明を実施するための最良の形態を図１から図３を参照して説明する。
【００１２】
図１は本願発明の一実施形態である金属サイディング同士が実接合した状態の実接合面を模式的に例示した断面図であり、図２（ａ）は金属サイディング全体の断面図である。図２（ｂ）はこの金属サイディングの雄実部の拡大断面図で、図２（ｃ）は雌実部の拡大断面図である。また、図３（ａ）は金属サイディングの雄実部の斜視図で、図３（ｂ）は実接合した状態を模式的に例示した斜視図である。
【００１３】
図１から図３に示すように、本願発明の金属サイディングは、断熱材１が貼着された金属表面材２を表層としてパネル状に形成されている。この実施の形態では金属サイディングの前面側において、金属表面材２にタイル状凹凸模様が付与されているがこれに限定されることはなく、所望のデザインが付与されていてもよい。金属表面材２としては、一般に金属サイディングに使用される金属板であれば特に限定されることはないが、例えば鋼板、アルミニウム板、銅板などやこれらの金属に亜鉛やニッケルなどを含有させた合金板などが挙げられる。以上の金属表面材２はロールやプレス成形によって加工されタイル状凹凸模様をはじめとする所望のデザインが付与される。
【００１４】
金属表面材２には断熱材１が貼着されるものであるが、断熱材１としては、ポリウレタンフォーム、ポリスチレンフォーム、ポリイソシアヌレートフォーム、フェノールフォーム、ポリエチレンフォームなどの発泡樹脂、ロックウール、グラスウール、石膏ボードなど、一般に断熱材料として用いられている材料を用いることができる。そして、以上のような断熱材１を用いることで、本願発明の金属サイディングは優れた断熱性を有することになる。
【００１５】
本願発明の金属サイディングは、一対の雄実３と雌実４が対向する側端面に形成された金属表面材２を表層として形成されている。すなわち、一方の側端面には雄実３が、他方の側端面には雌実４が形成されている。そして、金属サイディング同士で各々の雄実３と雌実４とを嵌合させて実接合されるようにしている。
【００１６】
以上のような金属サイディングにおいて、雄実３はその前面側根元近傍に凹部３１を設けた突起部からなり、この凹部３１にパッキン材５が配設されているものである。また、雌実４は雌実前側凸部４１と雌実後側凸部４２とを離間させて形成した凹溝部からなるものである。
【００１７】
凹部３１はパッキン材５が脱落することなく締め代が確保されるような形状であれば特に限定されるものではない。特にパッキン材５の形状に沿ったものであることが好ましい。この実施の形態では、後述するようにパッキン材５の形状として断面円形状のものを用いているため、凹部３１はその断面形状が円弧状になるよう形成している。
【００１８】
パッキン材５の材質としては、ＥＰＤＭなどの合成ゴムあるいは合成樹脂が挙げられ、一般に使用されている材質のものでよく、耐水性のものが考慮される。この実施の形態では断面円形状の紐状パッキン材５を用いているがこれに限定されることなく、断面多角形状のパッキン材５でもよい。凹部３１への取り付け易さ、防水性、耐久性などを考慮すると断面円形状の紐状パッキン材５を用いることが好ましい。
【００１９】
本願発明の金属サイディングは、金属サイディング同士でそれぞれの雄実３と雌実４とを嵌合させて実接合させるものであるが、その際に、一方の金属サイディングの凹部３１に配設されたパッキン材５の締め代分が確保された状態で、この締め代分に他方の金属サイディングの雌実前側凸部４１の後側角部４１１を当接させるようにしてパッキン材５を圧縮し実接合させるものである。このパッキン材５は圧縮されることて変形し隙間を充填するようになるため、金属サイディング同士の実接合が確実なものになり、実接合面における前面側からの風圧雨などによる浸入水が雄実３の内部にまで廻り込むのをより効果的に防止することができる。したがって、この金属サイディングが施工されている外壁下地側にも水が浸入しにくくなり、建物に対する悪影響を少なくすることができる。
【００２０】
また、本願発明の金属サイディングは、少なくとも一方の側端面における前面側角部６ａ，６ｂを側方に突出させ、金属サイディング同士の実接合時には、他方の側端面に相対する一方の前面側角部を当接させるようにしてもよい。図１から図３に示す金属サイディングにおいては、両者の側端面の前面側角部６ａ，６ｂを側方に突出させている。このような構成の金属サイディングでは、両者の側端面の前面側角部６ａ，６ｂを突き合わせた当接部が実接合された状態において確実に当接されるため、隙間または浮き上がりなどができにくくなり、外観よく施工することができる
また、本願発明の金属サイディングは、雄実３の頂部と雌実４の底部との間に空隙７を設けるようにしてもよい。図１から図３に示す金属サイディングにおいては、雄実３の頂部が面取りされていて、これにより雄実３の頂部と雌実４の底部との間に空隙７が形成されている。この空隙７は毛細管現象により浸入した水を捉えるトラップのような役割を果たすものである。すなわち、パッキン材５を越えて水が浸入してきた場合でも、この空隙７によって水を捉えることができる。したがって、金属サイディングが施工されている外壁下地側にもさらに水が浸入しにくくなり、建物に対する悪影響をより少なくすることができる。
【図面の簡単な説明】
【００２１】
【図１】本願発明の一実施形態である金属サイディングの実接合された状態の実接合面を模式的に例示した断面図である。
【図２】（ａ）金属サイディング全体の断面図である。（ｂ）金属サイディングの雄実部の拡大断面図である。（ｃ）雌実部の拡大断面図である。
【図３】（ａ）金属サイディングの雄実部の斜視図である。（ｂ）実接合した状態を模式的に例示した斜視図である。
【図４】従来の金属サイディングの実接合された状態の実接合面を模式的に例示した断面図である。
【図５】従来の別の金属サイディングの実接合された状態の実接合面を模式的に例示した断面図である。
【符号の説明】
【００２２】
１  断熱材
２  金属表面材
３  雄実
３１  凹部
４  雌実
４１  雌実前側凸部
４１１  後側角部
４２  雌実後側凸部
５  パッキン材
６ａ，６ｂ  前面側角部
７  空隙
８  表面材
９  合成樹脂
１０  表面角部
１１  サイディングボード
【図１】
2006207137.tif 000003
【図２】
2006207137.tif 000004
【図３】
2006207137.tif 000005
【図４】
2006207137.tif 000006
【図５】
2006207137.tif 000007